(57)【要約】  光伝送路切替装置（１４ａ）は、少なくとも２つの伝送路を含む主伝送路（４ｂ）を通して入力された主信号光（ＳＧａ）を中継する。主伝送路（４ｂ）において障害が発生していないとき、制御部（１５）は、光スイッチ（１２ａ）及び光スイッチ（１２ｂ）が互いに異なる伝送路に接続されるように光スイッチ（１２ａ）及び光スイッチ（１２ｂ）を制御する。少なくとも２つの伝送路のうちの１つで障害が発生したとき、制御部（１５）は、光スイッチ（１２ａ）及び光スイッチ（１２ｂ）が障害が発生していない伝送路に接続されるように光スイッチ（１２ａ）及び光スイッチ（１２ｂ）を制御する。障害が復旧したとき、制御部（１５）は、光スイッチ（１２ａ）及び光スイッチ（１２ｂ）が互いに異なる伝送路に接続されるように光スイッチ（１２ａ）及び光スイッチ（１２ｂ）を制御する。
2018189782.tif 000002
【特許請求の範囲】
【請求項１】
少なくとも２つの伝送路を含む主伝送路を通して入力された主信号光を中継する光伝送路切替装置であって、
前記少なくとも２つの伝送路のうちの第１の伝送路を通して入力された前記主信号光を複数の信号光に分離する第１の分波器と、
前記少なくとも２つの伝送路のうちの第２の伝送路を通して入力された前記主信号光を前記複数の信号光に分離する第２の分波器と、
前記少なくとも２つの伝送路のうちの１つと接続するように接続を切り替える第１の光伝送路切替部と、
前記少なくとも２つの伝送路のうちの１つと接続するように接続を切り替える第２の光伝送路切替部と、
前記第１の光伝送路切替部及び前記第２の光伝送路切替部を制御する制御部と
を備え、
前記少なくとも２つの伝送路において障害が発生していないとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御し、
前記少なくとも２つの伝送路のうちの１つで前記障害が発生したとき、前記制御部は、前記第１の光伝送路切替部及び前記第２の光伝送路切替部が前記少なくとも２つの伝送路のうちの前記障害が発生していない伝送路に接続されるように前記第１の光伝送路切替部及び前記第２の光伝送路切替部を制御し、
前記障害が復旧したとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御する
ことを特徴とする光伝送路切替装置。
【請求項２】
前記少なくとも２つの伝送路のうちの第１の伝送路を通る前記主信号光の光パワーを測定し、測定結果を前記制御部に送信する第１の光パワー測定部をさらに有し、
前記制御部は、前記第１の伝送路を通る前記主信号光の前記光パワーの前記測定結果に基づいて前記第１の光伝送路切替部及び前記第２の光伝送路切替部を制御する
ことを特徴とする請求項１に記載の光伝送路切替装置。
【請求項３】
前記第１の伝送路を通る前記主信号光の前記光パワーの前記測定結果が、予め定められた閾値よりも小さいとき、前記制御部は、前記第１の伝送路で前記障害が発生したことを検出することを特徴とする請求項２に記載の光伝送路切替装置。
【請求項４】
前記制御部が前記第１の伝送路で前記障害が発生したことを検出したとき、前記制御部は、前記第１の光伝送路切替部及び前記第２の光伝送路切替部が前記第１の伝送路以外の伝送路に接続されるように前記第１の光伝送路切替部及び前記第２の光伝送路切替部を制御することを特徴とする請求項３に記載の光伝送路切替装置。
【請求項５】
前記障害の発生後、前記第１の伝送路を通る前記主信号光の前記光パワーの前記測定結果が予め定められた閾値以上であるとき、前記制御部は、前記第１の伝送路における前記障害が復旧したことを検出することを特徴とする請求項４に記載の光伝送路切替装置。
【請求項６】
前記少なくとも２つの伝送路のうちの第２の伝送路を通る前記主信号光の光パワーを測定し、測定結果を前記制御部に送信する第２の光パワー測定部をさらに有し、
前記制御部は、前記第２の伝送路を通る前記主信号光の前記光パワーの前記測定結果に基づいて前記第１の光伝送路切替部及び前記第２の光伝送路切替部を制御する
ことを特徴とする請求項１から５のいずれか１項に記載の光伝送路切替装置。
【請求項７】
前記第２の伝送路を通る前記主信号光の前記光パワーの前記測定結果が、予め定められた閾値よりも小さいとき、前記制御部は、前記第２の伝送路で前記障害が発生したことを検出することを特徴とする請求項６に記載の光伝送路切替装置。
【請求項８】
前記制御部が前記第２の伝送路で前記障害が発生したことを検出したとき、前記制御部は、前記第１の光伝送路切替部及び第２の光伝送路切替部が前記第２の伝送路以外の伝送路に接続されるように前記第１の光伝送路切替部及び前記第２の光伝送路切替部を制御することを特徴とする請求項７に記載の光伝送路切替装置。
【請求項９】
前記障害の発生後、前記第２の伝送路を通る前記主信号光の前記光パワーの前記測定結果が予め定められた閾値以上であるとき、前記制御部は、前記第２の伝送路における前記障害が復旧したことを検出することを特徴とする請求項８に記載の光伝送路切替装置。
【請求項１０】
少なくとも２つの伝送路を含む主伝送路と、
前記主伝送路に接続された光伝送路切替装置と、
前記光伝送路切替装置から転送された主信号光を受信する光受信器と
を備え、
前記光伝送路切替装置は、
前記少なくとも２つの伝送路のうちの第１の伝送路を通して入力された前記主信号光を複数の信号光に分離する第１の分波器と、
前記少なくとも２つの伝送路のうちの第２の伝送路を通して入力された前記主信号光を前記複数の信号光に分離する第２の分波器と、
前記少なくとも２つの伝送路のうちの１つと接続するように接続を切り替える第１の光伝送路切替部と、
前記少なくとも２つの伝送路のうちの１つと接続するように接続を切り替える第２の光伝送路切替部と、
前記第１の光伝送路切替部及び前記第２の光伝送路切替部を制御する制御部と
を有し、
前記少なくとも２つの伝送路において障害が発生していないとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御し、
前記少なくとも２つの伝送路のうちの１つで前記障害が発生したとき、前記制御部は、前記第１の光伝送路切替部及び前記第２の光伝送路切替部が前記少なくとも２つの伝送路のうちの前記障害が発生していない伝送路に接続されるように前記第１の光伝送路切替部及び前記第２の光伝送路切替部を制御し、
前記障害が復旧したとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御する
ことを特徴とする光伝送システム。
【請求項１１】
前記障害が復旧したとき、前記光受信器は、前記光伝送路切替装置からの前記信号光の一時的な信号断を検出することにより、前記信号光を再受信するための最適調整を開始することを特徴とする請求項１０に記載の光伝送システム。
【請求項１２】
少なくとも２つの伝送路のうちの１つと接続するように接続を切り替える第１の光伝送路切替部と、前記少なくとも２つの伝送路のうちの１つと接続するように接続を切り替える第２の光伝送路切替部とを有する光伝送路切替装置における伝送路切替方法であって、
前記少なくとも２つの伝送路において障害が発生していないとき、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御するステップと、
前記少なくとも２つの伝送路のうちの１つで前記障害が発生したとき、前記第１の光伝送路切替部及び前記第２の光伝送路切替部が前記少なくとも２つの伝送路のうちの前記障害が発生していない伝送路に接続されるように前記第１の光伝送路切替部及び前記第２の光伝送路切替部を制御するステップと、
前記障害が復旧したとき、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御するステップと
を備えることを特徴とする伝送路切替方法。
【発明の詳細な説明】
【技術分野】
【０００１】
本発明は、光伝送路切替装置及び光伝送システム、並びに伝送路切替方法に関する。
【背景技術】
【０００２】
一般に、通信需要の増加に伴い、光増幅器の広帯域性を活かした波長分割多重（ＷＤＭ：Ｗａｖｅｌｅｎｇｔｈ  Ｄｉｖｉｓｉｏｎ  Ｍｕｌｔｉｐｌｅｘｉｎｇ）システムが用いられている。さらに近年では、ＷＤＭシステムにおける１波長当たりの伝送レートが１００Ｇｂｐｓであることが主流となってきており、１伝送路における通信量が大容量化してきている。【０００３】
このような大容量データを伝送する光伝送システムでは、障害が発生した場合の影響が大きいため、システム全体の信頼性向上が求められる。そのため、光伝送システムの信頼性を向上させるため、現用回線及び予備回線を備えた光伝送システムが用いられている。現用回線及び予備回線を備えた光伝送システムでは、現用回線において障害が発生したとき、信号光の伝送路を現用回線から予備回線に切り替えることにより、信号断時間を短縮することができる。【０００４】
回線の切り替えが行われている間、信号光の伝送路を現用回線から予備回線に切り替えることにより、回線切替用スイッチの下流側の光増幅器には一時的に信号光が入力されない。一般に、光伝送システムにおける光増幅器は、信号光の光パワー（入力光レベル）を予め定められたパワーまで増幅するように一定の出力制御を行うため、回線の切り替え前後における光パワーの変動を起因として光増幅器で光サージが発生する。光サージが発生すると、光伝送システムの下流側の光受信器及び光増幅器にダメージを与える可能性がある。そこで、光パワーの変動を抑えて回線の切り替えを行う方法が提案されている（例えば、特許文献１及び２）。【０００５】
一方、光伝送システムにおける光受信器として、デジタル信号処理（ＤＳＰ：Ｄｉｇｉｔａｌ  Ｓｉｇｎａｌ  Ｐｒｏｃｅｓｓｉｎｇ）であるデジタルコヒーレント伝送技術を用いたデジタルコヒーレント受信器が主流となっている。デジタルコヒーレント伝送技術は、１波長当り１００Ｇｂｐｓ以上の超高速信号伝送において、波長分散（ＣＤ：Ｃｈｒｏｍａｔｉｃ  Ｄｉｓｐｅｒｓｉｏｎ）及び偏波モード分散（ＰＭＤ：Ｐｏｌａｒｉｚａｔｉｏｎ  Ｍｏｄｅ  Ｄｉｓｐｅｒｓｉｏｎ）などの信号品質の劣化要因である波形歪を光受信器において補正する技術である。【０００６】
一般に、現用回線及び予備回線は、互いに同じ特性及び距離を持つ光ファイバを使用しているとは限らないため、現用回線から予備回線への切り替えを行う際に、現用回線及び予備回線の特性の違いを考慮してデジタルコヒーレント受信器における信号処理の条件の再探索が行われる。
【先行技術文献】
【特許文献】
【０００７】
【特許文献１】国際公開第２００４／０４５１１４号
【特許文献２】国際公開第２０１５／０４９７９４号
【発明の概要】
【発明が解決しようとする課題】
【０００８】
しかしながら、従来の技術では、光伝送システムの光受信器が伝送路における障害の復旧を検出するまでに時間を要するため、信号光の伝送を早期に再開することが困難という問題がある。【０００９】
本発明の目的は、光伝送システムにおける伝送路を切り替えるときに、光サージの発生を回避し、信号光の伝送を早期に再開することである。
【課題を解決するための手段】
【００１０】
本発明の光伝送路切替装置は、少なくとも２つの伝送路を含む主伝送路を通して入力された主信号光を中継する。この光伝送路切替装置は、前記少なくとも２つの伝送路のうちの第１の伝送路を通して入力された前記主信号光を複数の信号光に分離する第１の分波器と、前記少なくとも２つの伝送路のうちの第２の伝送路を通して入力された前記主信号光を前記複数の信号光に分離する第２の分波器と、前記少なくとも２つの伝送路のうちの１つと接続するように接続を切り替える第１の光伝送路切替部と、前記少なくとも２つの伝送路のうちの１つと接続するように接続を切り替える第２の光伝送路切替部と、前記第１の光伝送路切替部及び前記第２の光伝送路切替部を制御する制御部とを備える。前記少なくとも２つの伝送路において障害が発生していないとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御する。前記少なくとも２つの伝送路のうちの１つで前記障害が発生したとき、前記制御部は、前記第１の光伝送路切替部及び前記第２の光伝送路切替部が前記少なくとも２つの伝送路のうちの前記障害が発生していない伝送路に接続されるように前記第１の光伝送路切替部及び前記第２の光伝送路切替部を制御する。前記障害が復旧したとき、前記制御部は、前記第１の光伝送路切替部及び前記第２の光伝送路切替部が前記少なくとも２つの伝送路のうちの互いに異なる伝送路に接続されるように前記第１の光伝送路切替部及び前記第２の光伝送路切替部を制御する。
【発明の効果】
【００１１】
本発明によれば、光伝送システムにおける伝送路を切り替えるときに、光サージの発生を回避し、信号光の伝送を早期に再開することができる。
【図面の簡単な説明】
【００１２】
【図１】本発明の実施の形態１に係る光伝送システムの構成を概略的に示す図である。
【図２】光伝送路切替装置の制御系の構成を概略的に示すブロック図である。
【図３】制御部の具体的なハードウェア構成の一例を示すブロック図である。
【図４】伝送路において障害が発生したときの光伝送システムにおける通信の一例を示すフローチャートである。
【図５】（ａ）から（ｃ）は、伝送路を通る信号光の光パワーをそれぞれ示す図である。
【図６】伝送路における障害が復旧したときの光伝送システムにおける通信の一例を示すフローチャートである。
【図７】比較例に係る光伝送システムの構成を概略的に示す図である。
【図８】比較例に係る光伝送システムにおける伝送路を通る信号光の光パワーを示す図である。
【図９】本発明の実施の形態２に係る光伝送システムの構成を概略的に示す図である。
【図１０】（ａ）から（ｃ）は、伝送路を通る信号光の光パワーをそれぞれ示す図である。
【図１１】本発明の実施の形態３に係る光伝送システムの構成を概略的に示す図である。
【発明を実施するための形態】
【００１３】
実施の形態１．
〈光伝送システム１００の構成〉
図１は、本発明の実施の形態１に係る光伝送システム１００の構成を概略的に示す図である。
【００１４】
光伝送システム１００は、主伝送路４ａ及び４ｂと、光分岐器５と、主伝送路４ｂに接続された光伝送路切替装置１４ａと、光増幅器６及び８と、伝送路９と、光受信器２７ａ及び２７ｂとを有する。
【００１５】
光伝送システム１００は、例えば、海底ケーブルを通して光通信を行う通信システムとして用いられる。この場合、光分岐器５と、主伝送路４ａ及び４ｂと、光伝送路切替装置１４ａとは陸上の通信局に備えられ、光増幅器６及び８は中継器として海底に備えられ、光受信器２７ａ及び２７ｂは他の陸上の通信局（すなわち、他の大陸における通信局）に備えられる。光伝送路切替装置１４ａに向けて信号光を送信する送信器及び光分岐器５は、光伝送路切替装置１４ａから離れた都市部に備えられる。ただし、本発明が適用される通信システムは、海底ケーブルを通して光通信を行う通信システムに限定されるものではなく、都市間をつなぐ光通信、及びその他の光波長多重通信を行う通信システムにも適用することができる。
【００１６】
主伝送路４ａは、光分岐器５を介して少なくとも２つの伝送路（本実施の形態では、伝送路１及び２）を含む主伝送路４ｂに接続されている。主伝送路４ａは、光分岐器５によって伝送路１（第１の伝送路）と伝送路２（第２の伝送路）とに分岐されている。すなわち、本実施の形態では、光伝送システム１００は伝送路１及び２によって冗長化されている。伝送路１及び２は、例えば、光ファイバである。
【００１７】
光分岐器５は、主伝送路４ａを伝送路１及び伝送路２と接続する。すなわち、主伝送路４ａは、光分岐器５で伝送路１及び伝送路２に分岐している。これにより、光伝送システム１００に入力された主信号光である信号光ＳＧａは、伝送路１を通過する信号光ＳＧａと伝送路２を通過する信号光ＳＧａとに分離される。
【００１８】
光増幅器６及び８は、光伝送路切替装置１４ａから出力された信号光ＳＧａを増幅し、光伝送システム１００にける伝送路又は構成要素で発生する損失を補償する。
【００１９】
光受信器２７ａ及び２７ｂは、例えば、デジタルコヒーレント受信器である。光受信器２７ａ及び２７ｂは、光伝送路切替装置１４ａから転送された信号光ＳＧａを受信する。具体的には、光受信器２７ａ及び２７ｂは、光増幅器６及び８によって増幅された信号光ＳＧａを受信する。より具体的には、光受信器２７ａは、信号光ＳＧａのうちの波長λ１，λ２，又はλ３（波長λ１，λ２，及びλ３をまとめて「第１の波長」という）を持つ信号光ＳＧｂを受信し、光受信器２７ｂは、信号光ＳＧａのうちの波長λ４，λ５，又はλ６（波長λ４，λ５，及びλ６をまとめて「第２の波長」という）を持つ信号光ＳＧｃを受信する。
【００２０】
伝送路１における障害が復旧したとき、光受信器２７ａは、光伝送路切替装置１４ａからの信号光ＳＧａ（具体的には、信号光ＳＧｂ）の一時的な信号断を検出することにより、信号光ＳＧａ（具体的には、信号光ＳＧｂ）を再受信するための最適調整を開始する。同様に、伝送路２における障害が復旧したとき、光受信器２７ｂは、光伝送路切替装置１４ａからの信号光ＳＧａ（具体的には、信号光ＳＧｃ）の一時的な信号断を検出することにより、信号光ＳＧａ（具体的には、信号光ＳＧｃ）を再受信するための最適調整を開始する。
【００２１】
図２は、光伝送路切替装置１４ａの制御系の構成を概略的に示すブロック図である。
図１及び図２に示されるように、光伝送路切替装置１４ａは、光パワー測定部１０ａ（第１の光パワー測定部）と、光パワー測定部１０ｂ（第２の光パワー測定部）と、光分波器１１ａ（第１の分波器）と、光分波器１１ｂ（第２の分波器）と、光伝送路切替部（第１の光伝送路切替部）としての光スイッチ１２ａと、光伝送路切替部（第２の光伝送路切替部）としての光スイッチ１２ｂと、合波器１３と、制御部１５とを有する。
【００２２】
光伝送路切替装置１４ａは、主伝送路４ｂを通して入力された主信号光である信号光ＳＧａを中継する。
【００２３】
光パワー測定部１０ａは、少なくとも２つの伝送路（本実施の形態では、伝送路１及び２）のうちの伝送路１を通る信号光ＳＧａの光パワーを測定し、測定結果を制御部１５に送信する。光パワー測定部１０ａは、例えば、光分岐器とフォトダイオードで構成される。光パワー測定部１０ａは、信号光ＳＧａの光パワーを電気信号として検出する。
【００２４】
光パワー測定部１０ｂは、少なくとも２つの伝送路（本実施の形態では、伝送路１及び２）のうちの伝送路２を通る信号光ＳＧａの光パワーを測定し、測定結果を制御部１５に送信する。光パワー測定部１０ｂは、例えば、光分岐器とフォトダイオードで構成される。光パワー測定部１０ｂは、信号光ＳＧａの光パワーを電気信号として検出する。
【００２５】
本実施の形態では、光パワー測定部１０ａは、光分岐器５と光分波器１１ａとの間に備えられており、光パワー測定部１０ｂは、光分岐器５と光分波器１１ｂとの間に備えられている。
【００２６】
光分波器１１ａは、少なくとも２つの伝送路（すなわち、伝送路１及び２）のうちの伝送路１を通して入力された信号光ＳＧａを、複数の信号光（具体的には、信号光ＳＧｂ及びＳＧｃ）に分離する。具体的には、光分波器１１ａは、伝送路１を通過する信号光ＳＧａを、互いに異なる波長を持つ信号光（具体的には、信号光ＳＧｂ及びＳＧｃ）に分離する。
【００２７】
光分波器１１ｂは、少なくとも２つの伝送路（すなわち、伝送路１及び２）のうちの伝送路２を通して入力された信号光ＳＧａを、複数の信号光（具体的には、信号光ＳＧｂ及びＳＧｃ）に分離する。具体的には、光分波器１１ｂは、伝送路２を通過する信号光ＳＧａを、互いに異なる波長を持つ信号光（具体的には、信号光ＳＧｂ及びＳＧｃ）に分離する。
【００２８】
光分波器１１ａ及び１１ｂは、異なる帯域の波長帯に分離する光フィルタ以外にも周期的に波長を分離するインターリーバでもよい。
【００２９】
光スイッチ１２ａは、少なくとも２つの伝送路（本実施の形態では、伝送路１及び２）のうちの１つと接続するように接続を高速で切り替える。言い換えると、光スイッチ１２ａは、光スイッチ１２ａと合波器１３との間の伝送路４３ａを、光分波器１１ａと光スイッチ１２ａとの間の伝送路４１ａ及び光分波器１１ｂと光スイッチ１２ａとの間の伝送路４２ａのいずれかに接続する。さらに言い換えると、光スイッチ１２ａは、伝送路１を通して光伝送路切替装置１４ａに入力された信号光ＳＧａ（具体的には、分波器１１ａから出力された信号光ＳＧｂ）及び伝送路２を通して光伝送路切替装置１４ａに入力された信号光ＳＧａ（具体的には、分波器１１ｂから出力された信号光ＳＧｂ）のいずれかを選択する。
【００３０】
光スイッチ１２ａが伝送路４３ａを伝送路４１ａと接続させているとき、光分波器１１ａによって分離された信号光ＳＧｂが光スイッチ１２ａ及び伝送路４３ａを通過し合波器１３に入力される。一方、光スイッチ１２ａが伝送路４３ａを伝送路４２ａと接続させているとき、光分波器１１ｂによって分離された信号光ＳＧｂが光スイッチ１２ａ及び伝送路４３ａを通過し合波器１３に入力される。
【００３１】
光スイッチ１２ｂは、少なくとも２つの伝送路（本実施の形態では、伝送路１及び２）のうちの１つと接続するように接続を高速で切り替える。言い換えると、光スイッチ１２ｂは、光スイッチ１２ｂと合波器１３との間の伝送路４３ｂを、光分波器１１ａと光スイッチ１２ｂとの間の伝送路４１ｂ及び光分波器１１ｂと光スイッチ１２ｂとの間の伝送路４２ｂのいずれかに接続する。さらに言い換えると、光スイッチ１２ｂは、伝送路１を通して光伝送路切替装置１４ａに入力された信号光ＳＧａ（具体的には、分波器１１ａから出力された信号光ＳＧｃ）及び伝送路２を通して光伝送路切替装置１４ａに入力された信号光ＳＧａ（具体的には、分波器１１ｂから出力された信号光ＳＧｃ）のいずれかを選択する。
【００３２】
光スイッチ１２ｂが伝送路４３ｂを伝送路４１ｂと接続させているとき、光分波器１１ａによって分離された信号光ＳＧｃが光スイッチ１２ｂ及び伝送路４３ｂを通過し合波器１３に入力される。一方、光スイッチ１２ｂが伝送路４３ｂを伝送路４２ｂと接続させているとき、光分波器１１ｂによって分離された信号光ＳＧｃが光スイッチ１２ｂ及び伝送路４３ｂを通過し合波器１３に入力される。
【００３３】
光スイッチ１２ａ及び光スイッチ１２ｂは、伝送路１又は２で障害が発生したとき、接続の切り替えを高速で行うことにより、光伝送路切替装置１４ａにおける瞬間的な信号断の状態を作り出す。
【００３４】
合波器１３は、光スイッチ１２ａから出力された信号光ＳＧｂ及び光スイッチ１２ｂから出力された信号光ＳＧｃを多重化する。これにより、信号光ＳＧｂ及びＳＧｃは、信号光ＳＧａとして光伝送路切替装置１４ａから出力される。
【００３５】
制御部１５は、光スイッチ１２ａ及び光スイッチ１２ｂを制御する。具体的には、制御部１５は、伝送路１を通る信号光ＳＧａの光パワーの測定結果を光パワー測定部１０ａから取得し、その測定結果に基づいて光スイッチ１２ａ及び１２ｂを制御する。同様に、制御部１５は、伝送路２を通る信号光ＳＧａの光パワーの測定結果を光パワー測定部１０ｂから取得し、その測定結果に基づいて光スイッチ１２ａ及び１２ｂを制御する。
【００３６】
少なくとも２つの伝送路（本実施の形態では、伝送路１及び２）のうちの１つで障害が発生したとき、制御部１５は、光スイッチ１２ａ及び１２ｂが少なくとも２つの伝送路のうちの障害が発生していない伝送路に接続されるように光スイッチ１２ａ及び１２ｂを制御する。
【００３７】
例えば、伝送路１を通る信号光ＳＧａの光パワーの測定結果が、予め定められた閾値よりも小さいとき、制御部１５は、伝送路１で障害が発生したことを検出する。制御部１５が伝送路１で障害が発生したことを検出したとき、制御部１５は、光スイッチ１２ａ及び１２ｂが伝送路１以外の伝送路（すなわち、伝送路２）に接続されるように光スイッチ１２ａ及び１２ｂを制御する。伝送路１における障害の発生後、伝送路１を通る信号光ＳＧａの光パワーの測定結果が予め定められた閾値以上であるとき、制御部１５は、伝送路１における障害が復旧したことを検出する。
【００３８】
同様に、伝送路２を通る信号光ＳＧａの光パワーの測定結果が、予め定められた閾値よりも小さいとき、制御部１５は、伝送路２で障害が発生したことを検出する。制御部１５が伝送路２で障害が発生したことを検出したとき、制御部１５は、光スイッチ１２ａ及び１２ｂが伝送路２以外の伝送路（すなわち、伝送路１）に接続されるように光スイッチ１２ａ及び１２ｂを制御する。伝送路２における障害の発生後、伝送路２を通る信号光ＳＧａの光パワーの測定結果が予め定められた閾値以上であるとき、制御部１５は、伝送路２における障害が復旧したことを検出する。
【００３９】
障害が復旧したとき、制御部１５は、光スイッチ１２ａ及び１２ｂが少なくとも２つの伝送路のうちの互いに異なる伝送路に接続されるように光スイッチ１２ａ及び１２ｂを制御する。
【００４０】
図３は、制御部１５の具体的なハードウェア構成の一例を示すブロック図である。
制御部１５は、例えば、ＣＰＵ（Ｃｅｎｔｒａｌ  Ｐｒｏｃｅｓｓｉｎｇ  Ｕｎｉｔ）などのプロセッサ１５ａ及びメモリ１５ｂなどを有する。この場合、制御部１５の機能は、プロセッサ１５ａ及びメモリ１５ｂによって実現することができる。例えば、プロセッサ１５ａは、メモリ１５ｂからプログラムを読み出し、制御部１５の機能を実行する。このプログラムは、コンピュータ読み取り可能な記録媒体に格納することができる。ただし、制御部１５の具体的なハードウェア構成は、図３に示される構成に限られない。
【００４１】
光伝送システム１００の構成は図１に示される構成に限られない。例えば、光パワー測定部１０ａは、光分波器１１ａと光スイッチ１２ａとの間に備えられてもよく、光パワー測定部１０ｂは、光分波器１１ｂと光スイッチ１２ｂとの間に備えられてもよい。さらに、光伝送路切替装置１４ａは波長選択スイッチ（ＷＳＳ：Ｗａｖｅｌｅｎｇｔｈ  Ｓｅｌｅｃｔｉｖｅ  Ｓｗｉｔｃｈ）を用いて構成してもよい。
【００４２】
〈光伝送システム１００における光通信〉
次に光伝送システム１００における光通信の一例について説明する。
伝送路１及び２において障害が発生していない通常状態では、光伝送システム１００に入力された信号光ＳＧａは、光分岐器５によって２つの信号光ＳＧａに分離される。
【００４３】
伝送路１を通過する信号光ＳＧａは、光分波器１１ａに入力される。伝送路１を通過する信号光ＳＧａの光パワーは、光パワー測定部１０ａによって検出され、検出結果が制御部１５に送信される。制御部１５は、伝送路１を通過する信号光ＳＧａの光パワーが正常であるか監視する。
【００４４】
同様に、伝送路２を通過する信号光ＳＧａは、光分波器１１ｂに入力される。伝送路２を通過する信号光ＳＧａの光パワーは、光パワー測定部１０ｂによって検出され、検出結果が制御部１５に送信される。制御部１５は、伝送路２を通過する信号光ＳＧａの光パワーが正常であるか監視する。
【００４５】
主伝送路４ｂにおいて障害が発生していないとき、制御部１５は、光スイッチ１２ａ及び１２ｂが伝送路１及び２のうちの互いに異なる伝送路に接続されるように光スイッチ１２ａ及び１２ｂを制御する。
【００４６】
具体的には、障害が発生する前の通常状態において、光スイッチ１２ａは、伝送路４３ａを伝送路４１ａと接続させている。したがって、光分波器１１ａによって分離された信号光ＳＧｂは、光スイッチ１２ａ及び伝送路４３ａを通過し合波器１３に入力される。
【００４７】
障害が発生する前の通常状態において、光スイッチ１２ｂは、伝送路４３ｂを伝送路４２ｂと接続させている。したがって、光分波器１１ｂによって分離された信号光ＳＧｃは、光スイッチ１２ｂ及び伝送路４３ｂを通過し合波器１３に入力される。
【００４８】
合波器１３に入力された信号光ＳＧｂ及びＳＧｃは多重化され、信号光ＳＧａが光伝送路切替装置１４ａから出力される。
【００４９】
光伝送路切替装置１４ａから出力された信号光ＳＧａは、光増幅器６及び８によって増幅される。増幅された信号光ＳＧａのうちの信号光ＳＧｂが光受信器２７ａに入力され、増幅された信号光ＳＧａのうちの信号光ＳＧｃが光受信器２７ｂに入力される。
【００５０】
次に、伝送路１において障害が発生したときの光伝送路切替装置１４ａの動作（光伝送路切替装置における伝送路切替方法）について説明する。
図４は、伝送路１において障害が発生したときの光伝送システム１００における通信の一例を示すフローチャートである。
【００５１】
伝送路１で障害が発生すると、伝送路１上の光が消滅する（ステップＳ１１）。伝送路１での障害は、例えば、伝送路１としての光ファイバの破断である。
【００５２】
ステップＳ１２では、制御部１５は、伝送路１における消光を確認し、伝送路１における信号断を検出する。具体的には、伝送路１を通る信号光ＳＧａの光パワーの測定結果が、予め定められた閾値よりも小さいとき、制御部１５は、伝送路１で障害が発生したことを検出する。
【００５３】
ステップＳ１３では、制御部１５が伝送路１で障害が発生したことを検出したとき、制御部１５は、光スイッチ１２ａ及び１２ｂが伝送路１以外の伝送路（本実施の形態では、伝送路２）に接続されるように光スイッチ１２ａ及び１２ｂを制御する。具体的には、制御部１５は、光スイッチ１２ａにおける接続を切り替えるように光スイッチ１２ａを制御し、光スイッチ１２ｂにおける接続を保持するように光スイッチ１２ｂを制御する。これにより、光スイッチ１２ａは、伝送路４３ａと接続する伝送路を、伝送路４１ａから伝送路４２ａに切り替えるように処理（以下、切り替え処理ともいう）を開始する。
【００５４】
光スイッチ１２ａが切り替え処理を行っている間、光スイッチ１２ａから信号光ＳＧｂは出力されない（ステップＳ１４）。すなわち、光スイッチ１２ａが切り替え処理を行っている間、光伝送路切替装置１４ａにおいて信号光ＳＧｂの信号断が発生する。
【００５５】
光スイッチ１２ａが切り替え処理を行っている間、合波器１３からは信号光ＳＧｃが出力される。光スイッチ１２ａが切り替え処理を行っている間、合波器１３からは信号光ＳＧｂは出力されない。したがって、光スイッチ１２ａが切り替え処理を行っている間、少なくとも信号光ＳＧｃが光伝送路切替装置１４ａを通過し、光伝送路切替装置１４ａにおける完全な信号断が回避される。光伝送路切替装置１４ａから出力された信号光（具体的には、信号光ＳＧｃ）は、光増幅器６及び８によって増幅される（ステップＳ１５）。
【００５６】
光スイッチ１２ａが切り替え処理を行っている間、光受信器２７ａは信号光ＳＧｂを受信せず、光受信器２７ｂは障害の発生に関わらず信号光ＳＧｃの受信を続ける（ステップＳ１６）。
【００５７】
光スイッチ１２ａにおいて切り替え処理が完了すると、光スイッチ１２ａは光分波器１１ｂを介して伝送路２に接続される。これにより、信号光ＳＧｂが、光分波器１１ｂを介して伝送路２から光スイッチ１２ａに入力され、その信号光ＳＧｂは光スイッチ１２ａから出力される。合波器１３では、信号光ＳＧｂ及びＳＧｃの多重化が行われる。これにより、多重化された信号光ＳＧａ（すなわち、信号光ＳＧｂ及びＳＧｃを含む信号光）が光伝送路切替装置１４ａから出力される（ステップＳ１７）。
【００５８】
光伝送路切替装置１４ａから出力された信号光ＳＧａは、光増幅器６及び８によって増幅される（ステップＳ１８）。
【００５９】
図５（ａ）から（ｃ）は、伝送路９を通る信号光ＳＧａ，ＳＧｂ，及びＳＧｃの光パワーをそれぞれ示す図である。具体的には、図５（ｂ）は、伝送路９を通る信号光ＳＧａの光パワーのうちの信号光ＳＧｂの光パワーを示し、図５（ｃ）は、伝送路９を通る信号光ＳＧａの光パワーのうちの信号光ＳＧｃの光パワーを示す。図５（ａ）から（ｃ）に示される時間ｔ１は、光スイッチ１２ａが切り替え処理を行っている期間を示す。
【００６０】
図５（ａ）に示されるように、伝送路９を通る信号光ＳＧａは、予め定められた光パワーＰ１まで増幅されるように光増幅器６及び８によって制御されている。図５（ｂ）に示されるように、時間ｔ１以外の期間において、伝送路９を通る信号光ＳＧｂは、予め定められた光パワーＰ２まで増幅されるように光増幅器６及び８によって制御されている。時間ｔ１の間、光増幅器６及び８において信号光ＳＧｂについての増幅は行われない。図５（ｃ）に示されるように、時間ｔ１の間、伝送路９を通る信号光ＳＧｃは、光パワーＰ１まで増幅されるように光増幅器６及び８によって制御されている。一方、時間ｔ１以外の期間において、伝送路９を通る信号光ＳＧａに含まれる信号光ＳＧｃは、光パワーＰ２まで増幅されるように光増幅器６及び８によって制御されている。
【００６１】
すなわち、図５（ａ）に示されるように、光スイッチ１２ａが切り替え処理を行っている間（すなわち、時間ｔ１）、光増幅器６及び８は、光伝送路切替装置１４ａから出力される信号光ＳＧｃに対する増幅利得を上げ、時間ｔ１の経過後、光伝送路切替装置１４ａから出力される信号光ＳＧａに含まれる信号光ＳＧｃに対する増幅利得を下げる。これにより、障害の発生前後において、伝送路９を通る信号光ＳＧａの光パワーが一定に維持され、障害が復旧したときに光サージが発生することを回避することができる。
【００６２】
光受信器２７ａは、信号光ＳＧｂを検出すると、新たな伝送路２（すなわち、障害が発生していない伝送路）の導通を確立するための最適調整（例えば、分散補償量の設定）を行う（ステップＳ１９）。光受信器２７ｂは、障害の発生に関わらず信号光ＳＧｃの受信を継続する。
【００６３】
次に伝送路１での障害が復旧したときの光伝送路切替装置１４ａの動作（光伝送路切替装置における伝送路切替方法）について説明する。
図６は、伝送路１における障害が復旧したときの光伝送システム１００における通信の一例を示すフローチャートである。
【００６４】
伝送路１における障害が復旧すると、伝送路１における信号光ＳＧａの伝送が復旧する（ステップＳ２１）。
【００６５】
ステップＳ２２では、光パワー測定部１０ａは、伝送路１を通過する信号光ＳＧａを検出し、検出結果を制御部１５に送信する。伝送路１を通る信号光ＳＧａの光パワーの測定結果が予め定められた閾値以上であるとき、制御部１５は、伝送路１における障害が復旧したことを検出する。
【００６６】
ステップＳ２３では、制御部１５は、光スイッチ１２ａ及び光スイッチ１２ｂが互いに異なる伝送路に接続されるように光スイッチ１２ａ及び光スイッチ１２ｂを制御する。本実施の形態では、制御部１５は、光スイッチ１２ａ及び光スイッチ１２ｂのうちの一方の接続を切り替える。
【００６７】
例えば、ステップＳ１３における切り替え処理で、光スイッチ１２ａが伝送路２と接続するように制御部１５によって光スイッチ１２ａが制御された場合、制御部１５は、光スイッチ１２ａが伝送路１と接続するように光スイッチ１２ａを制御する。これにより、光スイッチ１２ａは光分波器１１ａを介して伝送路１と接続し、光スイッチ１２ｂは光分波器１１ｂを介して伝送路２との接続を保持する。
【００６８】
ステップＳ２３において、光スイッチ１２ａの接続を切り替える代わりに、光スイッチ１２ａが接続状態を保持し、且つ光スイッチ１２ｂが伝送路１と接続するように、制御部１５が光スイッチ１２ａ及び光スイッチ１２ｂを制御してもよい。この場合、光スイッチ１２ａは光分波器１１ｂを介して伝送路２との接続を保持し、光スイッチ１２ｂは光分波器１１ａを介して伝送路１と接続する。
【００６９】
ステップＳ２３で切り替え処理が行われている光スイッチからは、切り替え処理が行われている間、信号光が出力されない（ステップＳ２４）。本実施の形態では、ステップＳ２３で光スイッチ１２ａが切り替え処理をおこなっているので、光スイッチ１２ａが切り替え処理を行っている間、光伝送路切替装置１４ａにおいて信号光ＳＧｂの信号断が発生する。ステップＳ２４の後の光伝送システム１００における通信は、図４におけるステップＳ１５からステップＳ１９と同じである。
【００７０】
実施の形態１に係る光伝送システム１００の効果を説明する。
図７は、比較例に係る光伝送システム１００ａの構成を概略的に示す図である。
図８は、光伝送システム１００ａにおける伝送路９を通る信号光ＳＧａの光パワーを示す図である。
【００７１】
図７に示される光伝送システム１００ａは、冗長化された光伝送システムである。具体的には、光伝送システム１００ａは、光分岐器５と、現用回線としての伝送路１ａと、予備回線としての伝送路２ａと、伝送路１ａを通る信号光ＳＧａの光パワーを測定する光パワー測定部１０ａと、伝送路２ａを通る信号光ＳＧａの光パワーを測定する光パワー測定部１０ｂと、伝送路１ａ及び伝送路２ａの一方と接続するように接続を切り替える光スイッチ１２と、光増幅器６及び８とを有する。光伝送システム１００ａは光分波器１１ａ及び１１ｂを有しておらず、光スイッチの数は１つである。
【００７２】
光伝送システム１００ａでは、伝送路１ａで障害が発生したとき、光スイッチ１２は伝送路１ａから伝送路２ａに接続を切り替える。光増幅器６及び８は、信号光ＳＧａの光パワーをＰ１まで増幅するように、一定の出力制御を行っているが、光スイッチ１２の切り替えが行われている間、信号断が発生し、光増幅器６及び８には信号光ＳＧａが入力されない。この場合、伝送路１ａで障害が発生したとき、光パワーが下がるので、光増幅器６及び８は増幅利得を上げる。時間ｔ１の経過後、光スイッチ１２の切り替えが完了し、光スイッチ１２は伝送路２ａと接続する。これにより、伝送路２ａを通過する信号光ＳＧａが、光増幅器６及び８によって増幅される。しかしながら、増幅利得が過大であるので、図８に示されるように、光サージが発生する。光サージが発生すると、光伝送システム１００ａの下流側の光受信器及び光増幅器にダメージを与える可能性がある。
【００７３】
一方、本実施の形態に係る光伝送システム１００では、光伝送路切替装置１４ａは、光分波器１１ａと、光分波器１１ｂと、光スイッチ１２ａと、光スイッチ１２ｂと、制御部１５とを有する。少なくとも２つの伝送路のうちの１つで障害が発生したとき、制御部１５は、光スイッチ１２ａ及び１２ｂが障害が発生していない伝送路に接続されるように光スイッチ１２ａ及び１２ｂを制御する。
【００７４】
本実施の形態では、光スイッチ１２ａが切り替え処理を行っている間（すなわち、時間ｔ１）、少なくとも信号光ＳＧｃが光伝送路切替装置１４ａを通過するので、光伝送路切替装置１４ａにおける完全な信号断を防ぐことができる。光スイッチ１２ａが切り替え処理を行っている間、光増幅器６及び８には少なくとも信号光ＳＧｃが入力されるので、光増幅器６及び８は、光伝送路切替装置１４ａから出力される信号光ＳＧｃに対する増幅利得を上げ、時間ｔ１の経過後、光伝送路切替装置１４ａから出力される信号光ＳＧａに含まれる信号光ＳＧｃに対する増幅利得を下げる。これにより、障害の発生前後において、伝送路９を通る信号光ＳＧａの光パワーが一定に維持され、伝送路を切り替えるときに光サージが発生することを回避することができる。
【００７５】
障害が復旧したとき、制御部１５は、光スイッチ１２ａ及び１２ｂが互いに異なる伝送路に接続されるように光スイッチ１２ａ及び１２ｂを制御する。切り替え処理が行われている間、切り替え処理が行われている光スイッチからは、信号光が出力されない。したがって、光伝送路切替装置１４ａにおいて一時的な信号断が発生するという問題がある。しかしながら、障害が復旧したとき、切り替え処理を行わない場合、信号光ＳＧａが、１つの伝送路（本実施の形態では、伝送路２）を通る信号光ＳＧａのみが光スイッチを通過する。この場合、伝送路２で障害が発生したとき、光伝送路切替装置１４ａにおける完全な信号断が発生し、比較例に係る光伝送システム１００ａと同様に、光サージを引き起こす。
【００７６】
そのため、障害が復旧したとき、制御部１５は、光スイッチ１２ａ及び１２ｂ互いに異なる伝送路に接続されるように光スイッチ１２ａ及び１２ｂを制御することにより、光伝送システム１００における伝送路の冗長化を実現することができ、主伝送路４ｂで障害が発生した場合の光サージの発生を防ぐことができる。
【００７７】
さらに、障害が復旧したとき、切り替え処理を行うことにより、光伝送路切替装置１４ａにおいて信号光ＳＧｂの信号断が発生し、光受信器（本実施の形態では、光受信器２７ａ）は、信号断を検出する。光受信器２７ａ又は２７ｂは、信号断を検出することにより、信号光を再受信するための最適調整を開始するので、光伝送システム１００における信号光ＳＧａの伝送を高速に再開させることができる。
【００７８】
光伝送路切替装置１４ａでは、光分波器１１ａ及び１１ｂによって信号光ＳＧａが信号光ＳＧｂ及びＳＧｃに分離される。ただし、光伝送路切替装置１４ａにおいて、信号光ＳＧａがダミー光又は雑音光に分離されてもよい。この場合でも、上述の効果と同じ効果を得ることができる。例えば、障害が発生しやすい伝送路によって伝送される光としてダミー光を用いることにより、光伝送システム１００における完全な信号断の発生を防ぐことができる。さらに、優先度の高い信号光を、障害が発生しにくい伝送路を通るように光伝送システム１００を構成してもよい。
【００７９】
実施の形態２．
図９は、本発明の実施の形態２に係る光伝送システム２００の構成を概略的に示す図である。
【００８０】
実施の形態２に係る光伝送システム２００の光伝送路切替装置１４ｂは、主伝送路４ｂが３つの伝送路１，２，及び３を含む。さらに、光伝送システム２００は、光パワー測定部１０ａ及び１０ｂに加えて光パワー測定部１０ｃを有し、光分波器１１ａ及び１１ｂに加えて光分波器１１ｃを有し、光スイッチ１２ａ及び１２ｂに加えて光スイッチ１２ｃを有する。
【００８１】
各光分波器では、信号光ＳＧａが３種類の信号光（具体的には、第１の波長を持つ信号光ＳＧｂ，第２の波長を持つ信号光ＳＧｃ，及び第３の波長を持つ信号光ＳＧｄ）に分離される。これにより、各光スイッチに入力される光パワーは、実施の形態１に係る光伝送システム１００の各光スイッチに入力される光パワーよりも小さい。
【００８２】
図１０（ａ）は、伝送路９を通る信号光ＳＧａの光パワーを示す図であり、（ｂ）は、伝送路９を通る信号光ＳＧａの光パワーのうちの信号光ＳＧｂの光パワーを示す図であり、（ｃ）は、伝送路９を通る信号光ＳＧａの光パワーのうちの信号光ＳＧｃ及びＳＧｄの光パワーを示す図である。図１０（ｃ）に示されるように、光伝送システム２００における信号光ＳＧｃ及びＳＧｄの光パワーの変化は、実施の形態１に係る光伝送システム１００における信号光ＳＧｃの光パワーの変化（図５（ｃ））に比べて小さい。すなわち、主信号路４ｂにおける伝送路の数を増やすことにより、信号断が発生しない信号光（本実施の形態では、信号光ＳＧｃ及びＳＧｄ）の光パワーの変化を小さくすることができ、信号断を生じる信号光を減らすことができる。その結果、光伝送システム２００の信頼性を向上させることができる。
【００８３】
実施の形態２に係る光伝送システム２００は、実施の形態１に係る光伝送システム１００と同じ効果を有する。さらに、光伝送システム２００では、３つの伝送路（すなわち、伝送路１，２，及び３）によって冗長化が実現されている。したがって、１つの伝送路において障害が発生しても２つの伝送路を用いて通信を行うことができる。これにより、実施の形態１に係る光伝送システム１００に比べて、より信頼性の高い通信を実現することができる。
【００８４】
実施の形態３．
図１１は、本発明の実施の形態３に係る光伝送システム３００の構成を概略的に示す図である。
光伝送システム３００は、２つの光伝送路切替装置（具体的には、光伝送路切替装置１４ｃ及び１４ｄ）が縦列に接続されている。光伝送路切替装置１４ｃ及び１４ｄの動作は実施の形態１に係る光伝送システム１００の光伝送路切替装置１４ａと同じである。ただし、光伝送路切替装置１４ｃ及び１４ｄでは、合波器１３の代わりに信号光の多重化及び分離を行うことができる光結合分岐器１７が用いられている。光結合分岐器１７は、信号光ＳＧｂ及びＳＧｃを多重化し、多重化された信号光ＳＧａを２つの伝送路９に分配する。
【００８５】
実施の形態３に係る光伝送システム３００は、実施の形態１に係る光伝送システム１００と同じ効果を有する。さらに、光伝送システム３００では、光伝送路切替装置１４ｃと光伝送路切替装置１４ｄとの間の伝送路（例えば、２つの伝送路９の一方）で障害が発生した場合でも、多重化された信号光ＳＧａの伝送を維持することができる。したがって、光伝送システム３００は、信頼性の高い通信を実現することができる。
【００８６】
以上に説明した各実施の形態における特徴は、互いに適宜組み合わせることができる。
【符号の説明】
【００８７】
１，２，３，９，４１ａ，４１ｂ，４２ａ，４２ｂ，４３ａ，４３ｂ  伝送路、  ４ａ，４ｂ  主伝送路、  ５  光分岐器、  ６，８  光増幅器、  １０ａ，１０ｂ，１０ｃ  光パワー測定部、  １１ａ，１１ｂ，１１ｃ  光分波器（分波器）、  １２ａ，１２ｂ，１２ｃ  光スイッチ（光伝送路切替部）、  １３  合波器、  １４ａ，１４ｂ，１４ｃ，１４ｄ  光伝送路切替装置、  １５  制御部、  ２７ａ，２７ｂ  光受信器、  １００，１００ａ，２００，３００  光伝送システム。
【図１】
2018189782.tif 000003
【図２】
2018189782.tif 000004
【図３】
2018189782.tif 000005
【図４】
2018189782.tif 000006
【図５】
2018189782.tif 000007
【図６】
2018189782.tif 000008
【図７】
2018189782.tif 000009
【図８】
2018189782.tif 000010
【図９】
2018189782.tif 000011
【図１０】
2018189782.tif 000012
【図１１】
2018189782.tif 000013
【国際調査報告】
2018189782.tif 000014
2018189782.tif 000015
2018189782.tif 000016
2018189782.tif 000017